Podtech/llm-jp-corpus-v4-ja_patent huggingface dataset:
(57)【要約】      （修正有）【課題】内容物を取り出す掬出具が容器を手にした時簡単に手に持てるような装置を提供する。【解決手段】容器本体の外側に密着してスプーン等掬出具を保持せしめて掬出具が簡単に速に手に持るようにし、その掬出具を保持する装置を如何なる容器にも簡単に具備可能な帯状装置として用意した。【選択図】図１
2009012854.tif 000002
【特許請求の範囲】
【請求項１】
容器内の粉粒物等、収納物を取り出すためのスプーン等掬出具を、容器本体の壁外に密着して保持出来るよう、掬出具を差し込むなどするスペースを設けた装置を具備した容器
【請求項２】
容器から内容物を取り出す器具、例えばスプーン状のもの等を容器本体の外壁に保持出来るようにするための掬出具保持部所を持った帯状の粘着テープ等、簡単に付加することが出来るもの
【発明の詳細な説明】
【技術分野】
【０００１】本発明は、容器の中にある物を、容器から外に取り出す場合に、その取り出すための道具例えばスプーンとか箆とかのような掬出具を、その容器本体の外側にくっつけて保持し、必要に応じてその掬出具を容器から外して使用し、容器内容物を取り出し終わったら、またその掬出具を容器本体の外側にくっつけて収納し、常に容器本体と掬出具が一体になっている。
【背景技術】
【０００２】従来は、容器から内容物を取り出す場合に必要とするスプーンのような掬出具は、別保管されていたり、容器の内側に保持されていたりする。【０００３】容器の内側に保持する例としては、特許文献も多数あり、特許公開２００７−１３７５１０、特許公開２００７ー９９２８１、特許公開２００６−３３５３７８、特許公開２００６−１１１２９４、特許公開平８−３０１２８８等がその一部の例である。【０００４】一般家庭で、食事時とかに容器から内容物を取り出す必要がある場合などには、容器外に密着してスプーン等がある場合が一番便利であり、容器内部に保持されているより優れている。【０００５】特許請求の範囲項２で述べたように、テープ状の装置で、どんな容にでも簡単に取り付けることが出来る物を使用すれば、如何なる容器にも、好きな掬出具を簡単に装着出来て、一度使用すれば、その便利さを認識するであろう。
【発明の開示】
【発明が解決しょうとする課題】
【０００６】容器の内容物を取り出すのに、スプーンや箆のような掬出具が必要な場合、その摘出具をその都度別の収納場所から持出さなければならないことは、非常に不便でもあり、時間の無駄でもある。本発明品では、容器を手にした時、直ちに簡単に必要な掬出具が手に出来るようになるので非常に便利である。また、掬出具の使用が終わったあとも、その容器にくっつけて素早く簡単に収納出来て便利である。しかも、使用する掬出具は、スプーン以外の何であろうと、また同じスプーンにしても形、大きさ等都合のよい最適のスプーンを自分の判断で選び用いることが出来る。スプーン等掬出具が容器の内側にある場合は、スプーン等の形態が既成のものとなっていて、自分の選択で変えることは出来ないであろう。これらの長所を持った、最も簡易で便利な、掬出具を容器本体の壁外に装着せしめる装置を実現せしめるのが本発明の目的である。
【課題を解決するための手段】
【０００７】本発明は、容器本体の外側に常時必要な掬出具を保持せしめ、容器と一体となった摘出具が常時具備される装置を容器本体の壁面に設けるものである。そして、その装置とは容器本体の壁外や蓋の上に一寸した隙間を作って、そこへ掬出具の柄を差し込むものである。
【発明の効果】
【０００８】容器から内容物を取り出す場合に、そのために必要な掬出具が容器本体の外側にささっているので、抜き取れば瞬時にして摘出具を手にすることが出来るため、その都度必要とする掬出具を探す必要もなければ、別の個所から持ち来る必要もなく、従って無駄な時間も頭使いも労力も必要でなく便利さこの上ないものとなる。
【発明を実施するための最良の形態】
【０００９】以下、本発明実施の形態を図面に基き説明する。【００１０】図１〜図２および図５は実施の一例であるが、図１の場合は上蓋１が本体２の上部に被せてあるが、その下の瓶胴体２の部分に、布等弾力性を持ち得る素材で作った帯状のもの３を固定して巻いてあり、胴体２との間に僅かな隙を持っている。この隙間にスプーン４とか箆とか差棒とかを差して保持する。容器から内容物を取り出す際に、このスプーン等を上方向に抜き、それを使用して内容物を取り出す。この帯状のものは例えば図２のような缶状のものなど、蓋が大きければ蓋に設けるのも良い。【００１１】この帯状のものは、最初から容器胴壁２とか蓋１とかに固定して付けておいてもよいが、装着自在にしておいてもよい。装着自在にするには、図３のようにバンド状の接着性を持つ帯状５の一部にスプーン等掬出具を挟む部分６を設け、布状物質等弾力性のある小片物体６で挟むようにし、それを上から見ると図４のようになる。この場合スプーン等を隙間に入れる側（多くは上部）はスプーン等掬出具が引っ掛らずに入れられるように、ある程度の厚みを持たせるとか、外側を少し外側方向に反らしたりする工夫をしておくのがよい
【産業上の利用可能性】
【００１２】このようにスプーン類を容器の外側に密着保持する方式のものは現状では見かけないが、一旦使用すると、その便利さを感じる筈であり、実用上は非常に有難いものになる。【００１３】スプーン等の掬出具４を最初から容器本体に備え付けてもよい。その場合、本説明では布状を例示したが、図５のように掬出具４を保持する部分を図形体７で作成してもよい。【００１４】一方、容器は従来通りの普通の容器本体とし、挿入体図３を付属品としてもよいし、挿入体図３のみ独立して作成し、どんな容器にも使えるものとして販売してもよい。
【図面の簡単な説明】
【００１５】
【図１】本発明の最も普遍的な例で瓶に食料品が入った場合のような例である。
【図２】缶に内容物が入れられているような例で掬出具を天蓋の上に差すようにしたもの。
【図３】特許請求範囲（項２）の場合に多い形のものである。
【図４】図３のもので摘出具を差し込む部分を上から見た図である。
【図５】スプーン等挿入する部分を固形体とした図である。
【称号の説明】
【００１６】１    容器の蓋
２    容器本体
３    掬出具差し込み部分
４    掬出具
５    粘着テープ
６    掬出具を差し込む部分
７    掬出具の挿入装置を固形体としたもの
【図１】
2009012854.tif 000003
【図２】
2009012854.tif 000004
【図３】
2009012854.tif 000005
【図４】
2009012854.tif 000006
【図５】
2009012854.tif 000007
(57)【要約】【課題】  従来、マンガやイラスト、デザインなどの描画に使用する付けペン用ペン軸は、ペン先をインクや墨汁のびんにたびたびひたす必要があり、時間と手間のムダが多かった。その欠点を除くため、既成の万年筆の仕組みでは不可能な、ペン先を取りかえられるという付けペンの特性、長所を生かしつつ、粘度と固着性の高い描画用インクを使用しても、ペン先に自動的にインクを充填できる付けペン用ペン軸を提供する。【解決手段】  ペン軸本体（１）の中を空洞にしインクや墨汁を充填できるようにして、ペン軸頭部に、粘度と固着性の高い製図用インクや墨汁が流体のままスムーズに流れ通う内径をもつカーブしたパイプ（３）と、インクがペンの使用時以外には漏れないように、どのような形状の付けペンの裏側にも密着できる柔軟な素材のパイプ先端部（４）をとりつけたことを特徴とする。【選択図】図３
2009012440.tif 000002
【特許請求の範囲】
【請求項１】
内部に製図用インクや墨汁が入る空洞のあるペン軸本体（１）に、付けペンの裏側に密着できる柔軟な素材の先端部（４）をもつインク誘導パイプ（３）をつけた付けペン用ペン軸。
【発明の詳細な説明】
【発明の詳細な説明】
この発明は、自動的に製図用インクや墨汁などの描画用インク類をペン先にとぎれなく充填できるパイプをつけた付けペン用ペン軸に関するものである。
従来、マンガやイラスト、デザインの描画用に使用するペン軸は、単に木製やプラスチック製のペン軸本体に、Ｇペンやカブラペンなどの付けペンを差し込む方式のものであり、それを使用して描画するためには、インクびんにペン先をひたしてインクを付着させねばならなかった。
しかも、一度にペン先に補充できるインクの量はごくわずかであり、紙面上に線を数本引いただけですぐにインクが途切れ、描画続行中にはたびたびインクを補充せねばならず、そのため描画作業の中断を余儀なくされ、手間と時間の大幅なムダを使用者は強いられていた。
ペン先にインクを自動的に充填できる機能をもつ筆記具としては、一般に万年筆というものが既に存在しているが、既存の万年筆の仕組みでは、通常の粘着度の低い筆記用インクを使用する場合に限ってのみ、その効力を発輝するものの、描画用に使用される製図用インクや墨汁などはその性質上粘度が高く、また乾燥すると非常に固着性の強いものであるため、微細なインク誘導部品にこれらの描画用インクが固着してしまい、描画することは不可能である。
また同時に、既存の万年筆の仕組みでは、あらかじめペン先をペン軸に固定してこそ機能が成立するものであり、Ｇペンやカブラペンなど多種多様な形状をもつ付けペンを、ペン先が磨耗するごとに付けかえるという付けペンの機能性とは並立できなかった。
本発明は、その欠点を除くために発明されたもので、これを図面について説明すれば、ペン軸本体（１）の中を空洞にし、ペン軸尾部（２）からスポイト等の注入器を利用して製図用インクや墨汁など、使用するインクをあらかじめ限定されることなく使用者が自由に好みのインクを充填できるようにしてあり、ペン軸頭部にそれらのインクが流体のままスムーズに流れ通う内部直径をもつ着脱可能なパイプ（３）をつけ、パイプをカーブさせた上、その先端部（４）をどのような形状をもった付けペンの裏側にもインクが漏れないように密着できるよう、柔軟な素材を用いたものである。
こうすることによって、ペン軸本体に付けペンを差し込んだ時、パイプ先端部が、ペン先の割れ目の裏側に密着していることによりインクが無用に漏れず、ペンを紙にあてて使用する時に限り筆圧の度合に従ってペン先の割れ目が開き、その空間にパイプ内部のインクが送り出される。線を引くごとに次々とペン先にスムーズにインクが導入、充填されて途切れなく線引き、描画が可能となった。
合わせて、通常時にインクが漏れないように密閉されたペン軸本体（１）の内圧がインクを使用するごとに弱まるにつれインクの出方が鈍った時には、空気調整穴（５）を開閉し外から空気を補給することによって解決される。又、使用時に水圧が過重にかかってペン先からインクが必要以上に漏れ出さないように調整するため、水圧調整用しきり（６）を設けることもできる。調整用しきりとしてスポンジ状体を入れることによっても同じ効果が得られる。
本発明を使用することによって、実際に描画する時間を飛躍的に短縮することができる。一例を上げると、マンガの原稿制作の工程であるペン入れ描画に要する時間が、用紙１枚あたり平均約２時間かかるところを、約３０分で描け、約４分の１に短縮でき、生産効率にして約４００％の向上ができることが試作品による実地験証によって確認されている。したがって、業種の特性上、描画制作の時間に厳しく追われているすべてのマンガ家、アニメーター、イラストレーター、デザイナーの業務にたずさわる人々にとって、本発明は大きな助けになる。
尚、パイプ先端部に磁石を内蔵することによって、ペン先裏側への密着度をより高くすることも可能である。
【図面の簡単な説明】
【図１】本発明の斜視図である
【図２】本発明の平面図である
【図３】図２のａ線の断面図である
【図４】本発明の部分拡大図である
【図５】本発明の部分拡大図である
【符号の説明】
１はペン軸本体、２はペン軸尾部、３はパイプ
４はパイプ先端部、５は空気調整穴、６は水圧調整用しきり
７は付けペン
【図１】
2009012440.tif 000003
【図２】
2009012440.tif 000004
【図３】
2009012440.tif 000005
【図４】
2009012440.tif 000006
【図５】
2009012440.tif 000007
(57)【要約】【課題】一般的に従来のカード（名刺、写真、絵画等）用、ホルダー（アルバム、額、名刺入れ等）には壁掛け、卓上型等の色々な型式があるが、いずれも個別的な材料・形状・製造方法等の異なるものである。しかも環境に良くないプラスチック多用のものも多い。本発明の課題はこれらを環境に良い材料を用いて共通の方法で製造しようとするものである。【解決手段】環境に良い紙素材を利用し、しかも１枚の基本的原紙から共通な方法によって多種類のカードホルダーを製造する。【選択図】図１
2009012438.tif 000002
【特許請求の範囲】
【請求項１】
１枚の厚手の長方形の用紙を用い、これに折り目、カード差込み孔、及びパターンのりを施したものを共通原紙とし、折パターン及び糊付パターンの変化によって造られる壁掛け用、卓上用、ダイレクト・メール用等、多種類に利用され、何れも差込孔を利用することによってカード、カレンダー、写真、カタログ等の添付・差替えが容易で、しかも追加添付物を収容できる１又は２個のポケットを必要に応じ付加する事が可能で、紙素材のみで造られるので、リサイクル可能で環境に良いことを特徴とする紙製ホルダー。
【発明の詳細な説明】
【技術分野】
【０００１】本発明は、書類用ファイル、アルバム及び絵画や写真を収容する額等のホルダーに関するものである。
【背景技術】
【０００２】例えば写真のアルバムやカレンダーについて言えば壁掛け型とデスクトップ型の２種類があるが、これは材料・形態が異なる為製造方法も異なり、またプラスチックを多用するものもあり、これらはリサイクル困難で環境は良くない。
【発明の開示】
【発明が解決しようとする課題】
【０００３】本発明の課題は、従来技術の欠点を解決し、１枚の長方形の用紙を共通の材料として、種類の異なるホルダーを製造するとともに環境に良い方法を提供するものである。
【課題を解決しようとする手段】
【０００４】１．タテ長の厚手の１枚の用紙を４分割し、この内ＮＯ．２，３番目の区画にカード差込孔をそれぞれ４ヶ所設け、カードの４隅を差し込むことによって添付する。
２．ＮＯ．１区画による吊るし孔を設けて壁掛け用、またＮＯ．３区画はポケット状に折ってのり付けしポケットとする。
３．また、ＮＯ．２，３区画を二等辺三角形の等辺、ＮＯ．１，４区画は糊付して折り重ね合せて、底辺とすれば、全体を二等辺三角形の形として卓上に置く事ができる（卓上型）。
【考案の効果】
【０００５】１．種々の形態の紙製ホルダーを１種類の原紙から造ることが出来るので、資材の無駄がなくコストダウンに貢献できる。
２．写真や絵を差込孔によって添付できるだけでなくポケット付も可能なので、カードを追加収納できる。
３．素材はすべて紙を利用しているので、リサイクル可能で環境に良い。
４．壁掛け、卓上型、メール型等の多種類の製造が１種類の原紙から可能で非常に便利である。
【発明を実施する上での最良の形態】
【実施例１】  図１、図２、図３、図４【０００６】図１は、本発明による紙製ホルダー（ＰＨ）のもととなる原紙の基本形である。図１のようにタテ長の長方形の原紙１を折り目２−１、２、３によって４区画１−１、１−２、１−３、１−４に分割する。１−２、１−３が主要部であって、１−１、１−４はそれより背の低い部分である。
図２に於いて１−２、１−３の４隅に施されたカード差込孔３−１、２、３、４によって、写真・カード等の４隅をこの孔に差込めば、これらを紙製ホルダーに添付できる。
図３は壁掛け型紙製ホルダー（ＰＨ）の正面図である。
１−１区画は、この両側にのり４−１を施し、二つ折りされて２枚重ねとなって、その中央に吊り下げ孔５があけられ、下端の１−４区画は、折り目２−３によって外側に折られ、両端ののり４−１によって１−３の外側に貼り付けられポケット６が形成されている。この壁掛け型紙製ホルダー（ＰＨ）は、上部の孔５によって壁に吊るされ、区画１−２、１−３の差込孔によって、それぞれカードが添付される。また、外側のポケット６の中に予備のカードを添付できるので便利である。
図４は壁掛け型紙製ホルダー（ＰＨ）の側面図である。
【実施例２】  図５、図６【０００７】この実施例は実施例１のような壁掛け型紙製ホルダー（ＰＨ）をメールする場合の例である。
図５はその正面図であって、原紙１の上、下区画１−１と１−４それぞれ、２−１、２−３によって内側へ折り、のり４−１によって左右両端を接着し、区画１−２、１−３にまたがった部分に差込孔３−１、３−２、３−３、３−４を施し、折り線２−２によって全体を内側に上下に二つ折りし、１−１に施されたメール用のり４−２によって封緘すれば、メール型紙製ホルダー（ＰＨ）が得られる。図６はその側面図である。このメール型紙製ホルダー（ＰＨ）を開封すれば、カード添付面は１面であるが、その代りポケットが２ヶ所にあるので、より多くの内容物を添付することでが出来るのが特徴である。
【実施例３】  図７【０００８】これは卓上型紙製ホルダー（ＰＨ）の実施例である。
図７はその見取図であって、区画１−１と１−３を二等辺三角形の等辺となるように２−２で折り、区画１−１と１−４を折り線２−１、２−３によって、二つ折り重ね合せて糊付けしたものを底辺とすることによって、底辺を卓上におくことのできる卓上型紙製ホルダー（ＰＨ）が得られ、この場合１−２にカードを添付できるだけでなく、１−３にも添付可能となるのが特徴である。
【図面の簡単な説明】
【０００９】
【図１】：本発明による紙製ホルダー（ＰＨ）の原紙の基本形
【図２】：本発明による紙製ホルダー（ＰＨ）の原紙に施される差込孔
【図３】：本発明による壁掛け型紙製ホルダー（ＰＨ）の正面図
【図４】：本発明による壁掛け型紙製ホルダー（ＰＨ）の側面図
【図５】：本発明によるメール可能な壁掛け型紙製ホルダー（ＰＨ）の正面図
【図６】：本発明によるメール可能な壁掛け型紙製ホルダー（ＰＨ）の側面図
【図７】：本発明による卓上型紙製ホルダー（ＰＨ）見取り図
【符号の説明】
【００１０】１：本発明による紙製ホルダー（ＰＨ）のもととなる原紙
１−１，２，３，４：本発明による紙製ホルダー（ＰＨ）の４分割された区画
２−１，２，３：本発明による紙製ホルダー（ＰＨ）１に施された折り線
３−１，２，３，４：１−２、３区画に施されたカード差込用孔
４−１，２：のり
５：壁掛け用吊下げ孔
６：ポケット
【図１】
2009012438.tif 000003
【図２】
2009012438.tif 000004
【図３】
2009012438.tif 000005
【図４】
2009012438.tif 000006
【図５】
2009012438.tif 000007
【図６】
2009012438.tif 000008
【図７】
2009012438.tif 000009
(57)【要約】【課題】  カレンダーの月日を表示しているページ上に自分のペットの年齢をあわせて表示しようとした場合、ペットの種類や誕生日がペット毎に異なることから膨大なパターンのカレンダーを用意しなくてはいけないという問題があった。また、カレンダーは翌年になると役割を終えてしまうため、用意した膨大な在庫を廃棄しなくていけないという問題があった。【解決手段】  本発明におけるペット年齢カレンダーは、（１）カレンダー台紙部分と（２）ペット年齢表示カード部分と（３）人間年齢表記カード部分に分割して提供され、（５）ペット年齢表示カード検索シートをもとに該当の（２）ペット年齢表示カードを抜き出して（１）カレンダー台紙に貼り付け、さらに抜き出した（２）ペット年齢表示カードに記載の番号をもとに（３）人間年齢表記カードを抜き出して（１）カレンダー台紙に貼り付けることを特徴としている。【選択図】図１
2009012439.tif 000002
【特許請求の範囲】
【請求項１】
ペットの年齢と、ペットの年齢をもとに換算した人間の年齢と、換算した人間の年齢のイメージ図を表示したカードを貼り付けることを特徴とするペット年齢カレンダー。
【請求項２】
西暦とペットの誕生月数を関連付けた表をもとに、０歳から１ヶ月間隔または２ヶ月間隔でペットの年齢を表示したカード集の中からカレンダーに貼り付けるカードを特定し、特定したペットの年齢を表示したカードにあわせて表示した人間の年齢をもとに、人間の年齢とイメージ図を表示したカード集の中からカレンダーに貼り付けるカードを特定することを特徴とするペット年齢カレンダー。
【発明の詳細な説明】
【技術の分野】
【０００１】  この発明は、ペットの年齢を人間の年齢に換算して表示するカレンダーに関するものである。
【背景技術】
【０００２】  ペットの成長度合いは人間のそれとは異なる。例えばペットがハムスターペットの場合、誕生日から１年経過すると、人間の３０〜３５歳の年齢まで成長する。
このため飼主はペットの実年齢を把握することが困難になり、不適切な運動・食事を与えてしまう場合があった。この問題を解決するために、カレンダー機能を有する機械でペットの実年齢を表示するものは存在したが、紙のカレンダーで表示させるものは存在しなかった。
【発明の開示】
【発明が解決しようとしている課題】
【０００３】  カレンダーの月日を表示しているページ上に自分のペットの年齢をあわせて表示しようとした場合、ペットの種類や誕生日がペット毎に異なることから膨大なパターンのカレンダーを用意しなくてはいけないという問題があった。また、カレンダーは翌年になると役割を終えてしまうため、用意した膨大な在庫を廃棄しなくていけないという問題があった。
【課題を解決するための手段】
【０００５】  本発明におけるペット年齢カレンダーは、（１）カレンダー台紙部分と（２）ペット年齢表示カード部分と（３）人間年齢表記カード部分に分割して提供され、（５）ペット年齢表示カード検索シートをもとに該当の（２）ペット年齢表示カードを抜き出して（１）カレンダー台紙に貼り付け、さらに抜き出した（２）ペット年齢表示カードに記載の番号をもとに（３）人間年齢表記カードを抜き出して（１）カレンダー台紙に貼り付けることを特徴としている。
【発明の効果】
【０００６】  本発明により、カレンダーの在庫品を大量破棄するリスクを極小化することが実現できるようになる。販売業者の利益を確保することが可能になり、ペットの実年齢を表示した紙のカレンダーとしてはじめてビジネスとして成立させることができるようになる。
【発明を実施するための最良の形態】
【０００７】  連続した２枚の（１）シート、または２つ折りにした１枚の（１）シートに連続した（２）チャックシールを接着する。【０００８】  （５）ペット年齢表示カード検索シートに対して利用者は自分のペットの誕生年月を探し出し、該当するペット種の（２）ペット年齢表示カードを取り出すための番号を特定する。【０００９】  取り出した（２）ペット年齢表示カードに記載されているもうひとつの番号をもとに（３）人間年齢表記カードを取り出す。【００１０】  上記のように取り出したカードを（１）カレンダー台紙に貼り付ける。
【図面の簡単な説明】
【００１１】
【図１】ペット年齢カレンダーの正面図。
【図２】ペット年齢表示カードの取り出し方式。
【図３】人間年齢表示カードの取り出し方式。
【符号の説明】
【００１２】１．カレンダー台紙
２．ペット年齢表示カード部分
３．人間年齢表示カード部分
４．１〜３を貼り合わせたペット年齢カレンダー
５．ペット年齢表示カード検索シート
【図１】
2009012439.tif 000003
【図２】
2009012439.tif 000004
【図３】
2009012439.tif 000005
(57)【要約】【課題】  二輪車がパンクなどの理由により、タイヤを動かすことができない場合に、楽に移動するための二輪車用台車を提供する。【解決手段】  二輪車のタイヤを動かさず移動させるために、台にタイヤ固定枠とバンドと２個のキャスターを設けたことを特徴とする二輪車用台車。【選択図】図１
2009012738.tif 000002
【特許請求の範囲】
【請求項１】
二輪車のタイヤを動かさず移動させるために、台にタイヤ固定枠とバンドと２個のキャスターを設けたことを特徴とする二輪車用台車。
【発明の詳細な説明】
【技術分野】
【０００１】  本発明は、二輪車がパンクなどの理由によりタイヤを動かすことができない場合に、楽に移動するための二輪車用台車に関するものである。
【背景技術】
【０００２】  従来、二輪車がパンクなどの理由によりタイヤを動かすことができない場合は、自動車に乗せたり、動かせない方のタイヤを持ち上げて人の手で運んだりしていた。
【発明の開示】
【発明が解決しようとする課題】
【０００３】  そのために、次のような問題点があった。
（イ）二輪車を自動車に乗せる場合、自動車をとりに帰らなければならない。
（ロ）自動車を所持していない人は、他の人に頼まなければならない。
（ハ）二輪車のタイヤを持ち上げて人の手で運ぶととても疲れる。
（ニ）目的地へたどりつくのに時間がかかる。
本発明は、以上の問題点を解決するためになされたものである。
【課題を解決するための手段】
【０００４】  二輪車のタイヤを動かさず移動させるために、台にタイヤ固定枠とバンドと２個のキャスターを設けたことを特徴とする二輪車用台車である。
【発明の効果】
【０００５】  本発明はサイズが小型で二輪車に常備付けて置くことが可能なため、自動車をとりに帰ったり、人に頼むというわずらわしさがなくなる。
また、キャスターを転がすことによりタイヤを持ち上げる力もいらず、二輪車を手でおして運ぶ時間だけしかかからない。
【発明を実施するための最良の形態】
【０００６】  以下、本発明の実施の形態を説明する。
（イ）二輪車のタイヤ（６）が乗る長方形状の台（３）に、３６０度回転する前輪キャスター（１）と、固定されている後輪キャスター（２）を設ける。
（ロ）台（３）の両脇に、タイヤ固定枠（４）をＵ字状に延ばす。
（ハ）台（３）の胴回りにバンド（５）を一周させる。
本発明は以上の構成で、これを使用する時は、動かす事ができない二輪車タイヤ（６）の下部へ、前輪キャスター（１）が進行方向にむくように台（３）を乗せる。台（３）と二輪車タイヤ（６）をバンド（５）で一周させてきつく縛る。二輪車タイヤ（６）自体が回転しないように、二輪車のブレーキをかけたまま移動する。
また図３に示すように、使用しない時は、二輪車のフレーム（７）にバンド（５）で縛っておいてもよい。
更に大型オートバイ、中型オートバイ、原動付き自転車、ロード自転車、モトクロス自転車、ファミリー自転車などの使用する二輪車のサイズにあわせて、二輪車用台車の大きさも決まってくる。
【図面の簡単な説明】
【０００７】
【図１】本発明の斜視図
【図２】本発明の使用状態を示す斜視図
【図３】本発明を使用しない時に、収納している状態の側面図
【符号の説明】
【０００８】  １  前輪キャスター
２  後輪キャスター
３  台
４  タイヤ固定枠
５  バンド
６  二輪車のタイヤ
７  二輪車のフレーム
【図１】
2009012738.tif 000003
【図２】
2009012738.tif 000004
【図３】
2009012738.tif 000005
(57)【要約】      （修正有）【課題】自動車の排ガス規制、燃費の向上、ＣＯ２削減に役立つ方法である。【解決手段】  車輌の減速時のブレーキで失われるエネルギーを利用してバネ１を巻き上げに使い、この巻き上がったエネルギーを加速時に開放して加速の補助エネルギーとして使う。また動力を使いバネ１を巻き、このエネルギーを解放して加速時に供給する。【選択図】図１
2009012740.tif 000002
【特許請求の範囲】
【請求項１】
車輌の減速時のブレーキ効果を利用して失うエネルギーをバネの巻き上げに使い、その巻き上がって蓄えた、バネの伸びるエネルギーを加速時に開放し動輪に伝え車輌の補助動力として使う方法
【請求項２】
モーターでバネを巻き上げ、その巻き上がって蓄えたバネのエネルギーを加速時に開放して動輪に伝え加速時の補助エネルギーとして使う方法。
【発明の詳細な説明】
【技術分野】
【０００１】  本発明は車輌の減速を、減速ブレーキの一部としてバネを巻き上げるエネルギーとして使い、その巻いたバネすなわちぜんまいやスプリングの戻ろうとする力を解放し回転エネルギーをつくり、その回転エネルギーを加速時の動輪に伝え主動力の補助に使う方法に関するものである。ばねの戻る力が放出されたらバネをクラッチで切り離す。また動力、モーターを使いばねを巻く方法もある。バネを巻くエネルギーは車輌の減速する方法としてブレーキの制動エネルギーの一部を利用するのが一番エネルギーの回収効率がよい、車速が上がり動力の負荷が少なくなった時巻き上げてもよい。最近燃費を良くしたり、ＣＯ２削減のためエンジン停止する車輌があるので走り出す時この機能を利用すると利点がある。  動力を動輪に伝える回転軸からプーリー、チエンホイル、ギアーベルト、チエンを使いクラッチ、ブレーキそしてバネを結びこの装置とする。
【背景の技術】
【０００２】  この発明はエネルギーを少なく、ＣＯ２を少なくするために考案した方法である。車輌の発進時にアクセルを踏むと排ガスが多く発生するので加速時に一部加速エネルギーを補助することにより排ガスが軽減される。車輌の減速エネルギーは現在一部を除いてブレーキの熱エネルギーとなって放出され利用されていない。そこで一部をバネを巻くエネルギーとして使いそのバネの戻ろうとするエネルギーを加速時に開放して動輪に伝える。また発電機を回して電力を得てエネルギーを利用する方法もある。また他の動力でバネを巻く方法もあるがブレーキの際のエネルギーの回収の効率が一番よい。ぜんまいを利用した車はおもちゃでは一般的に使われている。このぜんまい式自動車の原理をスケールアップし、そしてバネを巻くエネルギーを車輌の減速するブレーキとしての方法の一部として利用する、そしてブレーキをかけると同時に回転軸からバネにクラッチをとおしてつながれ巻き上げるエネルギーとする。巻き上がったらエネルギーを貯めておくためエネルギーを開放するまでブレーキでとめておき加速時にブレーキをはずし同時にクラッチを入れこのバネのエネルギーを車軸に伝える。巻き上がったバネを一般的にはバランサーとゆう名前でバネを巻き上げたバネを開放して力を出す器具は販売されている。
【発明の開示】
【発明の解決しようとする課題】
【０００３】車輌の加速時はエネルギーを一番消費しＣＯ２も多く出る。内燃機関では排ガスも多く、電気モーターでは電力を一番多く消費する。車輌の減速エネルギーをバネの巻上げエネルギーに使い、蓄えその開放エネルギーを動力の一番エネルギーを消費する加速時に解放し補助エネルギーとして使いエネルギーの損失と排ガス、ＣＯ２の削減を目的とした方法である。
【発明の解決しようとする手段】
【０００４】  主動力を動輪に伝える軸からぜんまいを巻く方法として主動力や動輪やモーター、圧搾空気、油圧など利用する方法があるが、一番エネルギーを効率よくとる方法は車輌の減速エネルギーを利用するのがベストである。車輌の加速の終わったエネルギーの少ししか使わない時点で巻き上げる方法もあるがエネルギーを使わない一番ベストな方法は減速ブレーキをふんだ時このブレーキとしての減速エネルギーを利用するのが一番効率がよい。動力を動輪に伝える軸をクラッチ、そして巻き上がったらバネを戻らないように止めておくブレーキを通してバネと結ぶ。結ぶ方法としてプーリーやチエンホイル、歯車を通しベルト、チエンを使って構造的に一番よい方法でつなぐ。  ブレーキを踏むとブレーキランプが点灯するように感知してクラッチ、オン、オフ装置を通して回転が伝わり巻き上げ、バネにエネルギーを蓄える。  蓄え終わったらそれを感知してブレーキやストッパーで止め、バネのエネルギーを開放しないように止めておく。スタート時アクセルを踏んだと同時にバネのエネルギーの解放を止めておくストッパーやブレーキをはずす装置に信号が伝わりストッパーやブレーキをはずしクラッチが同時に入り蓄えてあるエネルギーが開放され動輪に伝えられる。  同じ方法で電力が必要な車輌は発電機を回し、得た電力をモーターや蓄電装置に送り電力の必要なときの補助に利用する。巻上げ力が不足するときは動力の動輪へのトルクが少ないときを感知して巻き上げる方法もある。モーターで巻き上げる方法もある。巻き上げの力がない時とバックの時はクラッチが間にあるので切り離されているシステムなので負荷にならない。また巻き上げモーターを車軸からの巻上げと兼用する方法もあり機能として車軸からの減速エネルギーが不足するときにモーターを巻き上げに使い使わないときは空回りさせておく方法もある。
【発明の効果】
【０００５】本発明装置を取り付けることにより車輌の発進時の負荷を軽くして車輌の燃費の向上と、排気ガス、ＣＯ２の削減に貢献でき、今まで熱エネルギーとして捨てていたブレーキのエネルギーの一部を回収することができる。
【図面の簡単な説明】
【０００６】
【図１】本発明の装置を車輌の動力を動輪に伝える軸に伝える簡単な主要部分の略図である。
【符号説明】
【０００７】１    バネの収まった装置
２    車輌の動力を動輪に伝える伝達シャフト
３    動輪
４    バネと伝達シャフトをオン、オフするクラッチ
５    動輪とつなげる伝達ベルト、チエーン、歯車
６    バネ止め用ブレーキ装置
７    バネ巻き上げ用モーター
８    プーリー
９    差動装置
【図１】
2009012740.tif 000003
【図２】
2009012740.tif 000004
【手続補正書】
【提出日】平成19年9月24日(2007.9.24)
【手続補正１】
【補正対象書類名】明細書
【補正対象項目名】０００６
【補正方法】変更
【補正の内容】
【０００６】
【図１】  本発明の装置を車輌の動力を動輪に伝える軸に伝える簡単な主要部分の略図である。
【図２】  本発明の装置を巻き上げるのにモーターを兼用した主要部分の略図である。
(57)【要約】【課題】被牽引車が故障車等でなくとも、運転手１名で牽引する事を可能にする。【解決手段】自動車に、油圧等で昇降する、牽引装置および被牽引用装置の両方を取り付け、被牽引車の前輪を持ち上げて、牽引も被牽引も出来る様にした。【選択図】図１
2009012739.tif 000002
【特許請求の範囲】
【請求項１】
従来牽引自動車が牽引する被牽引車は、一般的に原動機等が付いておらず、自家用で自走出来るものは無い。道路交通法でも、『牽引自動車（けんいんじどうしゃ）とは、自動車（主に貨物自動車）の形態の一つで、運転席と荷台や客車が分離できる構造のもので、前者をトラクタ（またはヘッド）、後者をトレーラーと呼ぶ。』とされている。また、「牽引自動車」、「牽引車」とも牽引する側（トラクタ）のみを差し、牽引される側の車両（車両総重量が７５０ｋｇを超えるもの）を「重被牽引車」としている。同法ではその両者を一まとめに呼称する用語は規定されていない。自動車を自動車が一般道で牽引する場合、道路交通法の規定では、『故障その他の理由により自動車を牽引することがやむを得ない場合において、政令で定めるところにより当該自動車を牽引するときは、この限りでない』となっており、乗用車をやむをえない場合以外に牽引することは出来ない。この発明は、一般的な自動車に牽引装置と被牽引装置の双方を取り付け、被牽引機能付牽引自動車とし、この被牽引機能付牽引自動車、複数台により、前輪を持ち上げた状態で、一般道での牽引を可能にする事により、様々な用途で活用しうる移動手段とするものである。
【発明の詳細な説明】
【技術分野】
【０００１】本発明は、運転者１名が２台以上の自動車を移動させる為の機構に関する。
【背景技術】
【０００２】  従来牽引自動車が牽引する被牽引車は、一般的に原動機等が付いておらず、自家用で自走出来るものは無い。道路交通法でも、第三章第十一節第五十九条に規定されているとおり、『自動車の運転者は、牽引するための構造及び装置を有する自動車によって牽引されるための構造及び装置を有する車両を牽引する場合を除き、他の車両を牽引してはならない。ただし、故障その他の理由により自動車を牽引することがやむを得ない場合において、政令で定めるところにより当該自動車を牽引するときは、この限りでない。』また『牽引自動車（けんいんじどうしゃ）とは、自動車（主に貨物自動車）の形態の一つで、運転席と荷台や客車が分離できる構造のもので、前者をトラクタ（またはヘッド）、後者をトレーラーと呼ぶ。牽引自動車、「牽引車」とも牽引する側（トラクタ）のみを差し、牽引される側の車両（車両総重量が７５０ｋｇを超えるもの）を「重被牽引車」としている。』とされている。同法ではその両者を一まとめに呼称する用語は規定されていない。
【発明の開示】
【発明が解決しようとする課題】
【０００３】  被牽引車が故障車等でなくとも、運転手１名で牽引する事を可能にする。【０００４】  有限燃料の使用量及び有害排気ガスの軽減【０００５】  上記２による地球温暖化の抑制【０００６】  飲酒運転等の抑制【０００７】  自動車による業務・レジャー等の効率化・多様化
【課題を解決するための手段】
【０００８】原動機を有する自動車に、油圧等で昇降する、牽引装置および被牽引用装置の両方を取り付け、被牽引車の前輪を持ち上げて、牽引も被牽引も出来る様にした。この自走式被牽引自動車が２台以上あれば相互の牽引・被牽引が可能となる。
【発明の効果】
【０００９】一般の故障車牽引用などに、牽引用ロープや、牽引用パイプなどは既存技術として存在するが、被牽引車に運転者が必要であったり、『故障時に限る』等の限定があった。本発明により１名の運転手が従来存在する自動車運搬用自動車や牽引車を使用せずに、２台以上の自動車を移動させる事を可能にした。また、同一地域到着までに使用するの燃料の使用量及び排気ガスの排出量削減することが可能となり、温暖化の抑制に貢献出来る。また近年問題化している飲酒運転の抑制も期待できる。
【発明を実施するための最良の形態】
【０００９】本発明を実施し、上述の発明の効果を最大限に発揮する為には、本発明の被牽引機能付牽引自動車が普及し、且つ運転可能な資格（牽引免許）所持者が増加する事にある。今後最良の形態を実現するための実施例として下記を記載する。
【実施例】
【００１０】既存の自動車メーカーにて自動車生産時、あらかじめこの発明の機構を取り付けておく。状況によっては、牽引装置や被牽引装置を格納式とし、必要に応じて出現させる様にしておく。【００１１】免許制度に改訂を加え従来の重被牽引車を対象とする牽引免許を細分化し、普通牽引免許等を制定し、牽引免許取得の簡素化をはかる。
【産業上の利用可能性】
【００１２】本発明は産業上の利用が明らかである。製造・販売・営業・サービス・運送業等ほとんどの産業の効率化、何より本発明の普及による、環境上のメリットが大きい事から産業発展への還元が期待出来る。
【図面の簡単な説明】
【００１３】
【図１】被牽引機能付牽引自動車の各部斜視概略図である。
【図２】被牽引機能付牽引自動車２台の連結時の斜視概略図である。
【図３】被牽引機能付牽引自動車２台の連結時の平面図及び側面図である。
【符号の説明】
【００１４】１  自走式被牽引自動車
２  連結受け部（被牽引装置）
３  連結掛け部（牽引装置）
【図１】
2009012739.tif 000003
【図２】
2009012739.tif 000004
【図３】
2009012739.tif 000005
(57)【要約】【課題】レール部材の中空部内に入り込んだ埃や塵を容易に取り除くことができるレール部材を提供する。【解決手段】本発明に係るレール部材１０は、上面１０ａに長さ方向に沿って開口する開口部１１を有し、中空であり、物の固定に利用されるレール部材１０であって、該レール部材１０の長手方向の中途に、レール部材１０の上面１０ａ及びレール部材１０の少なくとも一方の側面１０ｂに開口し、底部１３ａとレール部材１０の底壁上面１０ｄとの間に段差がない溝１３を有することを特徴とする。したがって、本発明に係るレール部材１０によれば、上記溝１３を利用して、レール部材１０の中空部１２内に入り込んだ埃や塵を容易に取り除くことができる。【選択図】図１
2009012591.tif 000002
【特許請求の範囲】
【請求項１】
上面に長さ方向に沿って開口する開口部を有し、中空であり、物の固定に利用されるレール部材であって、
該レール部材の長手方向の中途に、レール部材の上面及びレール部材の少なくとも一方の側面に開口し、底部とレール部材の底壁上面との間に段差がない溝を有することを特徴とするレール部材。
【発明の詳細な説明】
【技術分野】
【０００１】
本発明は、上面に長さ方向に沿って開口する開口部を有し、中空であり、物の固定に利用されるレール部材に関するものである。
【背景技術】
【０００２】
従来、上面に長さ方向に沿って開口する開口部を有し、中空であり、物の固定に利用されるレール部材が知られている。例えば、下記特許文献１に開示されたレール部材は、車椅子を固定するために利用されており、下記特許文献２に開示されたレール部材は、貨物を固定するために利用されている。
【０００３】
この種のレール部材は、一般にフロアに固定されて用いられるので、レール部材の開口部から中空部内に埃や塵が入り込み易い。かかる埃や塵は、レール部材の端部の開口した部分から排出することができる。しかしながら、レール部材の全長が長いため、レール部材の中空部内に入り込んだ埃や塵の除去作業が容易ではなかった。一方、レール部材の端部の開口した部分がエンドキャップ等で塞がれている場合には、レール部材の開口部から埃や塵を取り出すことになるが、開口部の幅がレール部材の中空部の幅より小さいため、その作業は困難であった。
【特許文献１】特開２００１−２１２１７９号公報
【特許文献２】特開２００２−２１１３０７号公報
【発明の開示】
【発明が解決しようとする課題】
【０００４】
本発明は、上記事情に鑑みなされたものであり、レール部材の中空部内に入り込んだ埃や塵を容易に取り除くことができるレール部材を提供することを課題とするものである。
【課題を解決するための手段】
【０００５】
本発明は、上記課題を解決するため、上面に長さ方向に沿って開口する開口部を有し、中空であり、物の固定に利用されるレール部材であって、該レール部材の長手方向の中途に、レール部材の上面及びレール部材の少なくとも一方の側面に開口し、底部とレール部材の底壁上面との間に段差がない溝を有することを特徴とするレール部材を提供する。
【発明の効果】
【０００６】
本発明に係るレール部材によれば、レール部材の長手方向の中途に、レール部材の上面及びレール部材の少なくとも一方の側面に開口し、底部とレール部材の底壁上面との間に段差がない溝を有するため、該溝を利用して、レール部材の中空部内に入り込んだ埃や塵を容易に取り除くことができる。
【発明を実施するための最良の形態】
【０００７】
以下、本発明の実施の形態を図面に示した実施例に従って説明する。
【実施例】
【０００８】
図１は本発明の一実施例に係るレール部材を示す平面図、図２は本発明の一実施例に係るレール部材を示す左側面図、図３は図１のＡ−Ａ部断面図、図４は図１のＢ−Ｂ部断面図である。これらの図に示したように、本実施例に係るレール部材１０は、開口部１１、中空部１２及び溝１３を有して構成される。
【０００９】
開口部１１は、レール部材１０の上面１０ａに長手方向に沿って開口している（図１参照）。中空部１２はレール部材１０の内部に長手方向に沿って延在し、開口部１１と互いに連通している（図３参照）。開口部１１の幅は中空部１２の幅より小さい。
【００１０】
溝１３は、図１及び図２に示したように、レール部材１０の長手方向の中途に、レール部材１０の上面１０ａ及びレール部材１０の少なくとも一方の側面１０ｂに開口するように形成される。溝１３は、レール部材１０の両側面１０ｂ，１０ｃに開口するように形成しても良い。溝１３の好ましい形態としては、図４に示したように、溝１３の底部１３ａとレール部材１０の底壁上面１０ｄとの間に段差がないことである。段差があると、段差の部分に埃や塵が溜まり、それらを外部に排出し難くなるからである。
【００１１】
上記のように構成されるレール部材１０は、フロアに固定され、物の固定に利用される。具体的には、レール部材１０は、貨物などを固定するためのベルト、ワイヤ又はロープなどの固定具の端部に設けられた係止部材とフロアとの間に介在し、前記係止部材をフロア上に固定するために用いられるものである。前記係止部材は、レール部材１０の開口部１１から中空部１２内に挿入された後、レール部材１０の開口部１１の周辺部分に係合することにより、レール部材１０に固定される。
【００１２】
レール部材１０の中空部１２内に溜まった埃や塵は、例えば、ブラシの毛先をレール部材１０の開口部１１から中空部１２内に挿入した後、開口部１１に沿って移動させることにより、レール部材１０の端部１０ｅ，１０ｆに向かって移動する。このとき、レール部材１０には、長手方向の中途に溝１３が設けられているため、埃や塵をレール部材１０の端部１０ｅ，１０ｆまで移動させなくても、溝１３から埃や塵を外部へ排出することができる。したがって、本実施例に係るレール部材１０によれば、レール部材１０の中空部１２内に入り込んだ埃や塵を容易に取り除くことができる。また、上記したように、溝１３の底部１３ａとレール部材１０の底壁上面１０ｄとの間には段差がないため、埃や塵を取り残しなく外部に排出することができる。
【図面の簡単な説明】
【００１３】
【図１】本発明の一実施例に係るレール部材を示す平面図である。
【図２】本発明の一実施例に係るレール部材を示す左側面図である。
【図３】図１のＡ−Ａ部断面図である。
【図４】図１のＢ−Ｂ部断面図である。
【符号の説明】
【００１４】
１０  レール部材
１１  開口部
１２  中空部
１３  溝
【図１】
2009012591.tif 000003
【図２】
2009012591.tif 000004
【図３】
2009012591.tif 000005
【図４】
2009012591.tif 000006
(57)【要約】【課題】剪定鋏を鞘に収納する際に、鞘の挿入口から鉛直方向に出し入れする従来の鞘の場合腕を大きく曲げてしかも手を不自然な形に曲げて挿入するしかなかった。これを鞘の上部後方から腕や手に負担をかけずに自然な角度で剪定鋏を挿入できるようにする。【解決手段】剪定鋏を収納する鞘内部空間において、剪定鋏の刃体を閉じた状態で収納するスペース９に加えその隣接した位置に剪定鋏の刃体を開いた状態で収納可能なスペース８を具備する。このスペース８に剪定鋏をスムーズに挿入できるよう鞘の挿入口は斜めに広く設けられている。【選択図】図１
2009012162.tif 000002
【特許請求の範囲】
【請求項１】
剪定鋏を収納する鞘内部空間において、剪定鋏の刃体を閉じた状態で収納するスペース９に加えてその隣接した位置に剪定鋏の刃体を開いた状態で収納可能なスペース８を備えたことを特徴とする剪定鋏用鞘。
【発明の詳細な説明】
【技術分野】
【０００１】本発明は、剪定鋏を収納する為にズボンベルト等に吊り下げて使用される剪定鋏用鞘に関するものである。
【背景技術】
【０００２】従来の剪定鋏用の鞘は、皮あるいは合成樹脂で出来ており、ポケット状の鞘本体にベルトに吊り下げる為のループ状又はＬ字型の吊り下げ部材を付加して製作されていた。このポケット状の鞘本体に剪定鋏を収納するが、収納時には剪定鋏の刃体を閉じた後、留め具やストッパーによって刃体の開放がなされないようにする必要があった。
【特許文献１】  特願  平１１−１８７５０９  特開  ２０００−２４３４０
【特許文献２】  特願  平０８−２６６５４１  特開  平１０−０７６４８３
【発明の開示】
【発明が解決しようとする課題】
【０００３】剪定鋏用鞘はベルトに吊り下げて使用するが、一般に鞘の挿入口から地面に対して鉛直方向に鋏を挿入する。その場合に腕を充分に折り曲げ、更に手の角度を鞘の挿入方向に曲げなければ剪定鋏を鞘にスムーズに納めることが出来ない。鋏の使用頻度が低い場合には問題は少ないが、出し入れが頻繁に必要な作業中には非常に煩わしい作業である。【０００４】剪定鋏には相対する刃体（切り刃３，４）を拡開する為にばね（６）が装着されているので、剪定鋏を鞘に挿入する前に剪定鋏の刃体を閉じて、留め金あるいはストッパー（５）等で刃体の開放がないようにしなければならない。これも頻繁に出し入れをする場合には作業効率を著しく低下させる。特に留め金あるいはストッパーを掛ける際には片手で剪定鋏を保持しもう一方の手で掛けるのが普通であるが両手を使って行われる。脚立の上や高所あるいは足場の悪い場所では時によっては落下や転倒の危険性が発生する。
【課題を解決するための手段】
【０００５】本発明は、鞘内部の従来の収納空間（９）に加え、その隣接する位置に斜め方向に新たに収納空間（８）を具備させた鞘である。尚且つ、その新たに付加された収納空間への剪定鋏のスムーズな挿入を可能にするために鞘の挿入口は大きく斜めに開口させている。この事により、剪定鋏は鞘の上部斜め後方から鋏を持った自然に近い手の角度で斜めに挿入することが可能となる。【０００６】鞘内部の従来の収納空間（９）に隣接する位置に斜め方向に新たに設けられた収納空間（８）には刃体が開いた状態でも収納出来るように充分広いスペースを確保している。従って、この鞘に剪定鋏を斜めに挿入する場合には鋏の刃体（切り刃３，４）をとじて留め金やストッパー（５）でロックする必要はない。【０００７】この鞘の開口部には収納された鋏が飛び出さないように保持用舌片（１０）が設けられている。ストッパー（５）が掛けられていない剪定鋏はスプリング（６）の弾性により刃体とハンドルは拡開される方向に付勢されている。これによりハンドル突起部がこの保持用舌片（１０）で保持され鞘に納まった剪定鋏は鞘内で安全に保持される。【０００８】斜め方向で収納された剪定鋏は頻繁に出し入れされることを想定し、やや浅めに鞘内に収納されるよう設計している。これは剪定鋏が鞘に収納されてもハンドル（７）の長い部分が鞘から出ていることになり、作業者は剪定鋏を鞘から取り出す際にはその長く鞘から出ているハンドル（７）を簡単に握ることが出来る。【０００９】鞘から剪定鋏を取り出すには、保持用舌片（１０）からハンドル突起部を開放する程度にハンドルを握りそのまま上方かつ後方に引き出せば即剪定作業に移れる。留め金やストッパーの解放が不要ですぐに作業に取り掛かれる。【００１０】本発明は、鞘内部の従来の収納空間（９）も勿論収納スペースとして使用できる。これは頻繁に使用しない時には鋏の刃体を留め金あるいはストッパー（５）で止めた後、この地面に鉛直方向に鋏を挿入し収納する。この場合、剪定鋏は鞘のより深い位置に挿入されるので鞘から出るハンドル（７）部分が少なくより安全に作業が行われる。又、工具箱や倉庫に保管する時には従来の鞘と同様剪定鋏の大部分を鞘内に納められるので鋏の保管にも適している。
【発明の効果】
【００１１】剪定作業を行う場合には脚立に上ったり、足場の悪い場所での移動、剪定鋏と剪定鋸の両方あるいは他の工具を使用、等々剪定鋏を鞘に出し入れする場面が非常に多い。その場合に剪定鋏の煩わしいストッパー（５）の開閉、特にストッパーの開閉は両手で行われることを考慮すれば、本発明が提供する効果は大である。
【発明を実施するための最良の形態】
【００１２】図１に実施例の一つを示す。剪定鋏が鞘に斜め方向に挿入された状態で、ハンドルが開いている。ハンドル部分が鞘から長く出ている。図２はこの発明の鞘に収納される剪定鋏の一例である。ストッパー５により刃体が閉じられた状態でロックされている。
【図面の簡単な説明】
【００１３】
【図１】本発明の実施例の斜視図である。
【図２】本発明の鞘に納められる剪定鋏の一例の正面図である。
【図３】剪定鋏の裏面から見た図である。
【図４】従来の収納空間に剪定鋏が閉じられた状態で収納されているときの外観である。
【図５】図４の内部の状態を示す。
【図６】従来の収納空間に隣接した位置に新たに設けられた収納空間に剪定鋏を開けた状態で収納しているときの外観である。
【図７】図６の内部の状態を示す。
【符号の説明】
【００１４】  １  鞘本体
２  ベルト通し
３  切り刃（上刃）
４  切り刃（下刃）
５  ストッパー
６  スプリング
７  ハンドル
８  従来の収納空間に隣接した位置に設けられた収納スペース
９  従来の収納スペース
１０  保持用舌片
【図１】
2009012162.tif 000003
【図２】
2009012162.tif 000004
【図３】
2009012162.tif 000005
【図４】
2009012162.tif 000006
【図５】
2009012162.tif 000007
【図６】
2009012162.tif 000008
【図７】
2009012162.tif 000009